(57)【特許請求の範囲】
【請求項１】
商品販売データ処理装置から送られる商品名・価格等の登録データの印字データおよび字体、印字位置等の印字条件命令およびジャーナル作成命令等の命令データを含む印字伝文を受け入れる入力部と、
前記ジャーナル作成命令に基づいて前記印字伝文中の印字データのみを選択する選択手段と、
この選択手段によって選択された印字データを記録する記録媒体とこの記録媒体に印字データを書き込む書込手段とを有する電子ジャーナルとを備えたことを特徴とするジャーナル記録装置。
【請求項２】
商品販売データ処理装置から送られる商品名・価格等の登録データの印字データおよび字体、印字位置等の印字条件命令・レシート発行命令・レシート発行およびジャーナル作成命令等の命令データを含む印字伝文を受け入れる入力部と、
前記命令データにジャーナル作成命令が含まれているか否かを判断する判断手段と、
前記命令データ中のレシート発行命令に基づいてレシート紙に前記印字データを印字するレシートプリンターと、
前記判断手段でジャーナル作成命令が含まれていると判断されたとき前記印字伝文中の印字データのみを選択する選択手段と、
前記命令データ中のジャーナル作成命令に基づいて前記選択手段によって選択された印字データを記録する記録媒体とこの記録媒体に登録データを書き込む書込手段とを有する電子ジャーナルとを備えたことを特徴とするジャーナル記録装置。
【請求項３】
商品販売データ処理装置から送られる商品名・価格等の登録データ等のを含む印字データおよび字体、印字位置等の印字条件命令・レシート発行命令・レシート発行およびジャーナル作成命令等の命令データを含む印字伝文を受け入れる入力部と、
前記命令データにジャーナル作成命令が含まれているか否かを判断する判断手段と、
前記命令データ中のレシート発行命令に基づいて前記印字データをレシート紙に印字するレシートプリンターと、
ジャーナル接続部と、
前記ジャーナル接続部に前記電子ジャーナルとジャーナルプリンターとのいずれが接続されているかを判別する判別手段と、
この判別手段で電子ジャーナルが接続されていると判別されたとき前記印字伝文中の印字データのみを選択する選択手段と、
前記命令データ中のジャーナル作成命令に基づいて前記印字データをジャーナル紙に印字するジャーナルプリンターと、
前記命令データ中のジャーナル作成命令に基づいて前記選択手段によって選択された印字データを記録する記録媒体とこの記録媒体に印字データを書き込む書込手段とを有する電子ジャーナルと、
前記判断手段でジャーナル作成命令が含まれていると判断されるとともに前記判別手段によってジャーナルプリンターが接続されていると判別されたとき印字データを印字条件命令にしたがってジャーナル紙に印字するようにジャーナルプリンターを制御する制御手段と、
前記判断手段でジャーナル作成命令が含まれていると判断されるとともに前記判別手段で電子ジャーナルが接続されていると判断されたとき前記選択手段によって選択された印字データを前記記録媒体に書き込む書込手段を制御する制御手段とを備えたことを特徴とするジャーナル記録装置。
【請求項４】
電子ジャーナルの記録媒体を着脱可能としたことを特徴とする請求項１ないし請求項３記載のジャーナル記録装置。
【請求項５】
中央処理装置、制御プログラムが格納された格納手段、各種データを記録する記録装置、中央処理装置に制御されるキーボード制御回路に接続され置数キー・部門キー・締めキー等を備えたキーボード、表示器制御回路に接続され前記キーボードから入力された金額情報を表示する表示器、前記中央処理装置の制御により買い上げ商品の価格の登録終了後の前記締めキーのキー信号に基づき商品名・価格等の印字データおよび字体、印字位置等の印字条件命令・レシート発行命令・レシート発行およびジャーナル作成命令等の命令データを含む印字伝文を出力する出力部を備えるととも前記出力部に請求項１ないし請求項４記載のジャーナル記録装置を接続したことを特徴とする商品販売データ処理装置。
【発明の詳細な説明】
【０００１】
【発明の属する技術分野】
この発明は、電子ジャーナルを有するジャーナル記録装置よびこのジャーナル記録装置を用いたＰＯＳ端末機あるいは電子式キャッシュレジスター等の商品販売データ処理装置に関する。
【０００２】
【従来の技術】
スーパーマーケットあるいは商店等においては、商品販売データ処理装置としてのＰＯＳ端末機あるいは電子式キャッシュレジスター等（以下ＰＯＳ端末機という）が使用されている。そして、このＰＯＳ端末機は、顧客の買い上げた商品を各商品毎に価格等を登録し、すべての商品の登録処理が終了した後に操作される締めキーのキー信号に基づいて、前記登録された商品の商品名、価格、小計、消費税、合計金額（以下印字データ）等をレシートプリンターによって印字してレシートを発行するとともに、前記印字データを営業記録データ（以下ジャーナルデータとい、ジャーナルデータの記録をジャーナル記録という）として同時にジャーナルプリンターによってジャーナル紙に印字する機能を有しているものである。
【０００３】
そして、ＰＯＳ端末機の中には前記レシートプリンターとジャーナルプリンターとは、ＰＯＳ端末機の本体（以下端末機本体という）と別体とした一つの筐体内に収納してプリンターユニットとして構成し、このプリンターユニットを端末機本体の上面部に配置されるように構成したものがある。そして、レシートプリンターは、端末機本体から送られてくる前記印字データ、字体、文字の大きさおよび印字位置等を特定する印字条件命令にしたがって、前記印字データをレシート紙に印字しレシートを発行するものである。
【０００４】
また、一方、ＰＯＳ端末機には、レシートプリンターのみを別に設け、ジャーナルデータの記録をジャーナルプリンターによってジャーナル紙に印字して記録する方法ではなく、記録媒体に磁気的あるいは電気的にジャーナルデータを記録する電子ジャーナルが採用されている。この電子ジャーナルの記録媒体は、ＰＯＳ端末装置に設けられ各種のデータを記録するハードデスク等からなる記録装置の一部を利用して構成されている。また、電子ジャーナルは、端末機本体内に設けられ中央処理装置によって実行される制御プログラムによって制御されるようになっており、この制御プログラムはまた他の制御プログラムと関係付けられているものである。
【０００５】
そして、電子ジャーナルは記録容量が大きいこと、ジャーナル紙を必要としないことおよびジャーナルデータの内容確認が容易であること等の利点があることから、ジャーナルプリンターによってジャーナルデータを記録する方法が採用されているＰＯＳ端末機を使用しているユーザーのなかには、ジャーナルプリンターによってジャーナルデータを記録する方法に代えて、電子ジャーナルと交換したいと望む場合が生じる。
【０００６】
しかし、上記のように電子ジャーナルは端末機本体内に設けられている記録装置を利用しているとともに、その制御プログラムは、他の制御プログラムと関連付けられているものであることから、前記制御プログラムを他の制御プログラムとともに変更しなければならない。そして、制御プログラム等はそのスッテプ数が膨大に多いことからその変更は容易ではなく、コスト的にも高価となるものである。
【０００７】
【発明が解決しようとする課題】
上記のように電子ジャーナルは上述のようにな利点を有することから、ジャーナルプリンターによるジャーナル記録を電子ジャーナルに変更しようとする場合、従来のＰＯＳ端末機に用いられている電子ジャーナルは、記録媒体を端末機本体内に設けられている記録装置の一部を利用しているとともに、その制御プログラムは他の制御プログラムと関連付けられていることから、ジャーナルプリンターと交換したいと望んだとしても、前記制御プログラムを他の制御プログラムとともに変更しなければならず、この制御プログラム等の変更は容易ではなく、コスト的にも高価となるという問題がある。
【０００８】
【課題を解決するための手段】
この発明は、上記事情に鑑みてなされたもので、請求項１記載の発明は、商品販売データ処理装置から送られる商品名・価格等の登録データの印字データおよび字体、印字位置等の印字条件命令およびジャーナル作成命令等の命令データを含む印字伝文を受け入れる入力部と、
前記ジャーナル作成命令に基づいて前記印字伝文中の印字データのみを選択する選択手段と、
この選択手段によって選択された印字データを記録する記録媒体とこの記録媒体に印字データを書き込む書込手段とを有する電子ジャーナルとを備えたジャーナル記録装置としたものである。
【０００９】
このように請求項１記載の発明は、入力部に商品名・価格等の登録データの印字データおよび字体、印字位置等の印字条件命令およびジャーナル作成命令等の命令データを含む印字伝文が入力された際に、ジャーナル作成命令に基づいて前記印字伝文中の印字データのみを選択し、記録媒体に印字データを書き込む書込む電子ジャーナルを有するジャーナル記録装置としたものであることから、前記入力部を商品販売データ処理装置に設けられ印字伝文を出力する出力部に接続するのみで、商品販売データ処理装置に設けた制御プログラムの変更を要することなくジャーナルプリンターを電子ジャーナルに変更できるという作用を有するものである。
【００１０】
また、請求項２記載の発明は、商品販売データ処理装置から送られる商品名・価格等の印字データおよび字体、印字位置等の印字条件命令・レシート発行命令・レシート発行およびジャーナル作成命令等の命令データを含む印字伝文を受け入れる入力部と、前記命令データにジャーナル作成命令が含まれているか否かを判断する判断手段と、前記命令データ中のレシート発行命令に基づいてレシート紙に前記印字データを印字するレシートプリンターと、前記判断手段でジャーナル作成命令が含まれていると判断されたとき前記印字伝文中の印字データのみを選択する選択手段と、前記命令データ中のジャーナル作成命令に基づいて前記選択手段によって選択された印字データを記録する記録媒体とこの記録媒体に登録データを書き込む書込手段とを有する電子ジャーナルとを備えたジャーナル記録装置としたものである。
【００１１】
このように構成した請求項２記載の発明は、入力部にロール紙に印字すべき商品名・価格等の印字データおよび字体、印字位置等の命令データを含む印字伝文が入力された際に、前記命令データにジャーナル作成命令が含まれているか否かを判断手段によって判断し、ジャーナル作成命令が含まれているときは選択手段によって前記印字データ中の印字データのみを書込手段によて記録媒体に書き込む電子ジャーナルを有するジャーナル記録装置としたことから、前記入力部を商品販売データ処理装置に設けられ印字伝文を出力する出力部に接続するのみで、商品販売データ処理装置に設けた制御プログラムの変更を要することなくジャーナルプリンターを電子ジャーナルに変更できるという作用を有するものである。
【００１２】
また、請求項３記載の発明は、商品販売データ処理装置から送られる商品名・価格等の登録データ等のを含む印字データおよび字体、印字位置等の印字条件命令・レシート発行命令・レシート発行およびジャーナル作成命令等の命令データを含む印字伝文を受け入れる入力部と、前記命令データにジャーナル作成命令が含まれているか否かを判断する判断手段と、前記命令データ中のレシート発行命令に基づいて前記印字データをレシート紙に印字するレシートプリンターと、ジャーナル接続部と、前記ジャーナル接続部に前記電子ジャーナルとジャーナルプリンターとのいずれが接続されているかを判別する判別手段と、この判別手段で電子ジャーナルが接続されていると判別されたとき前記印字伝文中の印字データのみを選択する選択手段と、前記命令データ中のジャーナル作成命令に基づいて前記印字データをジャーナル紙に印字するジャーナルプリンターと、前記命令データ中のジャーナル作成命令に基づいて前記選択手段によって選択された印字データを記録する記録媒体とこの記録媒体に印字データを書き込む書込手段とを有する電子ジャーナルと、前記判断手段でジャーナル作成命令が含まれていると判断されるとともに前記判別手段によってジャーナルプリンターが接続されていると判別されたとき印字データを印字条件命令にしたがってジャーナル紙に印字するようにジャーナルプリンターを制御する制御手段と、前記判断手段でジャーナル作成命令が含まれていると判断されるとともに前記判別手段で電子ジャーナルが接続されていると判断されたとき前記選択手段によって選択された印字データを前記記録媒体に書き込む書込手段を制御する制御手段とを備えたジャーナル記録装置としたものである。
【００１３】
このように構成した請求項３記載の発明は、入力部にレシート紙に印字すべき商品名・価格等の印字データおよび字体、印字位置等の命令データを含む印字伝文が入力された際に、前記命令データ中にジャーナル作成命令が含まれているか否かを判断手段によって判断し、命令データ中にジャーナル作成命令が含まれているとともに、判別手段によってジャーナル接続部に前記ジャーナルプリンターが接続されていると判別されたときは前記印字データをジャーナル紙に印字し、命令データ中にジャーナル作成が含まれているとともに、判別手段によってジャーナル接続部に前記電子ジャーナルが接続されていると判別されたときは、選択手段によって選択された印字データを書込手段によって録媒体に書き込む電子ジャーナルを有するジャーナル記録装置としたことから、前記入力部を部商品販売データ処理装置に設けられ印字伝文を出力する出力部に接続するのみで、商品販売データ処理装置に設けた制御プログラムの変更を要することなく電子ジャーナルに変更できるとともに、ジャーナルプリンターまたは電子ジャーナルのいずれも使用できるという作用を有するものである。
【００１４】
また、請求項４記載の発明は、請求項１または請求項３記載の発明における電子ジャーナルの記録媒体を着脱可能とした電子ジャーナルを有するジャーナル記録装置としたものである。
【００１５】
このように請求項４記載の発明は、請求項１または請求項３記載の発明における電子ジャーナルの記録媒体を着脱可能としたことから、請求項１または請求項２記載のそれぞれの発明の作用に加えて、記録媒体が一杯となったとき等に交換が容易にできるという作用を有するものである。
【００１６】
また、請求項５記載の発明は、中央処理装置、制御プログラムが格納された格納手段、各種データを記録する記録装置、中央処理装置に制御されるキーボード制御回路に接続され置数キー・部門キー・締めキー等を備えたキーボード、表示器制御回路に接続され前記キーボードから入力された金額情報を表示する表示器、前記中央処理装置の制御により買い上げ商品の価格の登録終了後の前記締めキーのキー信号に基づき商品名・価格等の印字データおよび字体、印字位置等の印字条件命令・レシート発行命令・レシート発行およびジャーナル作成命令等の命令データを含む印字伝文を出力する出力部を備えるととも前記出力部に請求項１ないし請求項４記載のジャーナル記録装置を接続した商品販売データ処理装置としたものである。
【００１７】
このように請求項５記載の発明は、商品販売データ処理装置の締めキーのキー信号に基づき商品名・価格等の印字データおよび大きさ等の印字データおよび命令データを含む印字伝文を出力する出力部を備えた商品販売データ処理装置に、請求項１ないし請求項４記載のジャーナル記録装置を接続するように構成したことから、商品販売データ処理装置に電子ジャーナルまたはジャーナルプリンターを所望に応じて接続できるという作用を有するものである。
【００１８】
【発明の実施の形態】
つぎに、この発明の実施の形態を図１ないし図６に基づいて説明する。
【００１９】
図１は商品販売データ処理装置としてのＰＯＳ端末機１にこの発明の実施の形態のジャーナル記録装置１００を接続して使用した場合の斜視図である。
【００２０】
前記ＰＯＳ端末機１は、図１に示すように筐体２の上部前面に各販売部門、販売金額などの各販売データを入力するためのキーボード３が設けられており、筐体２の上部右側には販売商品の部門、販売金額、合計金額等を表示する表示器４が設けられている。
【００２１】
また、前記キーボード３には、図２に示すように、販売商品の販売金額等を置数する置数キー３ａ、商品の分類を示す部門キー３ｂ、小計額を算出するための小計キー３ｃ、現金決済をする預／現計キーすなわち締めキー３ｄ等が設けられている。また、前記筐体２の下部には現金決済をしたとき開放されるドロワ５が設けられており、また、筐体２の前面中央部には「登録」、「点検」、「精算」、「設定」等各種業務を設定するコントロールキー６が設けられている。
【００２２】
また、筐体２の上部左側には後に詳述する電子ジャーナルを有する前記ジャーナル記録装置１００が載置して配置されている。
【００２３】
また、図２はＰＯＳ端末機１のブロック構成を示す図で、この図に示すようにＣＰＵ（中央処理装置）１１は、バスライン１２を介してキーボード３からの入力情報に基づいて各種演算処理を行うとともに、バスライン１２を介して前記各業務のプログラム等を記憶しているＲＯＭ（記憶装置）１３、売上金額等のデータを格納するＲＡＭ（記憶装置）１４を動作させる。
【００２４】
また、前記バスライン１２にはコントロールキー６、ドロワ５を開放させるドロワ開放装置５ａを接続するＩ／Ｏポート１５、表示器４へ表示データを表示させる表示器コントローラ１６、キーボード３に接続されたキーボードコントローラ１７が接続されている。また、前記バスライン１２には、Ｉ／Ｏポート１８を介してジャーナル記録装置１００が接続されている。
【００２５】
なお、このＩ／Ｏポート１８はＰＯＳ端末機１の出力部と前記ジャーナル記録装置１００の入力部の一部を構成しているものである。
【００２６】
そして、前記ＲＡＭ１４には、ＰＯＳ端末機１で販売した商品の価格や個数等販売データを部門別、キャッシャー別、取引別等にそれぞれ集計する販売データファイルが設けられている。
【００２７】
また、ＲＡＭ１４には商品毎に定められた商品コード、この商品コードに対応して前記商品名、価格等の商品情報を記憶したＰＬＵファイルが設けられており、また、ＲＡＭ１４には顧客の買い上げた商品の登録処理時に商品コードがキーボード２の置数キー３ａから入力つまり登録されるた時、ＰＬＵファイルから読み出された商品コードに対応した商品名、価格を一時記憶するバッファーメモリーが設けられている。
【００２８】
そして、ＲＡＭ１４には、前記顧客の買い上げた商品の代金の精算時に、買い上げられた各商品の商品コードを入力することによってなされる登録処理が終了した後小計キー３ｃが操作されると、前記バアファーメモリーに格納された各商品の合計額が算出され、小計バアファーメモリーに格納される。また、前記締めキー３ｄが操作されると前記合計額に基づいて消費税を算出するとともに合計額と消費税とから取引合計額を算出するとともに、この取引合計額を取引合計額バアファーメモリーに格納されるようになっている。
【００２９】
そして、前記締めキー３ｄが操作されるとＰＯＳ端末機１から前記Ｉ／Ｏポート１８を介してジャーナル記録装置１００印字伝文が出力されるようになっている。そして、前記印字伝文は、商品名・価格等の印字データ、字体・文字・印字位置等の印字条件命令・レシート発行命令・レシート発行およびジャーナル作成命令等の命令データを含むものである。
【００３０】
つぎに、前記ジャーナル記録装置１００につて説明する。
【００３１】
図４は、ジャーナル記録装置１００の斜視図であり、図に示すように筐体１０１の上面中央部にはレシートを発行するレシート発行口１０２が設けられたカバー１０３が後壁側に設けた図示しないヒンジを回転軸として開閉可能に設けられている。
【００３２】
また、カバー１０３の側壁にはキー穴１０４ａを有する施錠部１０４が設けられており、カバー１０３は前記キー穴１０４ａに図示しないキーを挿入をせて開錠することにより開けることができるようになっている。
【００３３】
また、筐体１０１の内部には図示しないがロール状に巻かれたレシート紙が収納されており、また、前記ＰＯＳ端末機１から送られてきた印字伝文にレシート発行命令が含まれているときは、命令印字条件命令にしたがって商品名・価格等の印字データ等を印字レシートに印字するレシートプリンター１２０（図５参照）と、ジャーナル作成命令に基づいて印字データの内の印字データのみをジャーナルデータとして記録するＩＣカード、メモリーカード、ハードデスク等からなる記録媒体１３１と書込手段１３２とこの書込手段１３２を制御する制御手段としての書込駆動回路１３３とを有する電子ジャーナル１３４（図５参照）が設けられている。
【００３４】
また、前記電子ジャーナル１３４の記録媒体１３１は筐体１０１の前面に設けたカード挿入口１０５を介して前記書込手段１３２に対して着脱可能となているものである。このことによって、記録媒体１３１が書き込まれたジャーナルデータで一杯になった際等には新たな記録媒体と交換できるようになっている。
【００３５】
つぎに、ジャーナル記録装置１００の構成を図５のブロック図に基づいて説明する。
【００３６】
図に示すように、ＣＰＵ（央処理装置）１１０は、バスライン１１１を介してＲＯＭ（記憶装置）１１２、ＲＡＭ（記憶装置）１１３が接続されおり、また、ＣＰＵ１１０には、バスライン１１１を介してＩ／Ｏポート１２１が接続されており、このＩ／Ｏポート１２１にはレシートプリンター１２０を駆動制御する制御手段としてのレシートプリンター駆動回路１２２が接続されている。
【００３７】
また、バスライン１１１には、ジャーナル接続部としてのＩ／Ｏポート１３０が接続されており、このＩ／Ｏポート１３０には電子ジャーナルの記録媒体１３１に前記印字伝文中の印字データを書き込む書込手段１３２を制御する制御手段としての書込コントローラ１３３と、ジャーナル紙に印字伝文中の印字条件命令にしたがって印字データをジャーナル紙に印字するジャーナルプリンター１３５を駆動する制御手段としてのジャーナルプリンター駆動回路１３６が接続されている。
【００３８】
また、Ｉ／Ｏポート１３０には、電子ジャーナル１３４とジャーナルプリンター１３５のいずれが接続されていかの状態を判別するデイップスイッチ１３８が設けられている。
【００３９】
また、前記ＲＯＭ１１２には、印字条件命令にしたがって印字データをレシート紙に印字させるように、レシートプリンター駆動回路１２２を介してレシートプリンター１２０を駆動させるレシートプリンター制御プログラム、印字伝文中のジャーナル作成命令に基づいて印字条件命令にしたがって印字データをジャーナル紙に印字させるようにジャーナルプリンター駆動回路１３６を介してジャーナルプリンター１３５駆動させるジャーナルプリンター制御プログラム、印字伝文中のジャーナル作成命令に基づいて印字データのみを記録媒体１３１に記録させるように駆動回路１３３を介して書込手段１３２を動作させる電子ジャーナル制御プログラム、前記ＰＯＳ端末機１から送られてくる印字伝文に含まれる命令データを判断する命令データ判断プログラム、前記ジャーナル接続部つまりＩ／Ｏポート１３０にジャープリンター１３５が接続されているか電子ジャーナル１３４が接続されている否かを判別する判別プログラム、印字伝文中から印字条件命令を削除し印字データのみを選別する選別プログラム等が格納されている。
【００４０】
また、前記ＲＡＭ１１２は前記ＰＯＳ端末機１から送られくる印字伝文を格納するとともに、前記Ｉ／Ｏポート１３０にジャープリンターが接続されているか電子ジャーナルが接続されている否かの前記デイップスイッチ１３８の状態を示す状態フラグが設けられており、このフラグはジャープリンターが接続されていると判別された時「１」、電子ジャーナルが接続されている時「０」となるように定められている。
【００４１】
つぎに、上記ジャーナル記録装置１００の動作を図６に示すフローチャートに基づいて説明する
ＰＯＳ端末機１において顧客の買い上げたすべての商品の登録操作の終了後に締めキー３ｄが操作され、ＰＯＳ端末機１００から前記商品名・価格等の印字データ、字体、文字の大きさ、印字位置等の印字条件命令・レシート発行命令・レシート発行およびジャーナル作成命令等の命令データを含む印字伝文がジャーナル記録装置１００に送られると、命令データ判断プログラムが実行され、ステップ１（以下ステップ１をＳ１、ステップ２をＳ２・・・と記載する）で「ジャーナルを作成するか否か」が判断され、ジャーナルを作成をしないときはレシートのみの発行であると定められていることから、Ｓ２に進みＣＰＵ１１０によって前記レシートプログラム制御プログラムが実行され、レシートプリンター１２０によってレロール紙に印字データを印字しレシートを発行して終了する。
【００４２】
なお、前記Ｓ１は印字伝文の命令データにジャーナル作成命令が含まれているか否かを判断する判断手段を構成しているものである。
【００４３】
また、Ｓ１で判断された結果がジャーナルを作成である場合はＳ３に進む。このＳ３では判別プログラムが実行され前記状態フラグの状態が「１」か否かをチェックしＩ／Ｏポート１３０にジャーナルプリンターが接続されているか否かを判別する。そして、ジャーナルプリンターが接続されていると判断されたときはＳ４に進み、ジャーナルプリンター制御プログラムが実行され、ジャーナルプリンター１３５で前記印字データをジャーナルデータとしてジャーナル紙にジャーナル条件命令にしたがって印字して終了する。
【００４４】
なお、前記Ｓ３はジャーナル接続部であるＩ／Ｏポート１３０にジャーナルプリンター１３５が接続されているか電子ジャーナル１３４が接続されたかを判別する判別手段を構成しているものである。
【００４５】
また、Ｓ３で前記状態フラグの状態が「０」であり、Ｉ／Ｏポート１３０に電子ジャーナルが接続されていると判別された時はＳ５に進む。Ｓ５では選択プログラムが実行され印字データから印字命令条件データつまり字体・文字の大きさ印字位置等を削除し印字データのみを選択する。
【００４６】
ついで、Ｓ６に進みこのＳ６で、電子ジャーナル制御プログラムが実行され書込手段１３２によって前記印字データのみを前記記録媒体１３１に書き込み終了する
このように、ジャーナル記録装置１００つまり筐体１０１内に、レシートプリンター１２０、電子ジャーナル１３４またはジャーナルプリンター１３５のいずれかを接続するジャーナル接続部つまりＩ／Ｏポート１３０を設け、このＩ／Ｏポートにデイップスイッチ１３８によっていずれが接続されたかを判別させるとともに、ＰＯＳ端末機１から伝文データが送られたときレシートプリンター１２０、電子ジャーナル１３４およびジャーナルプリンター１３５を制御するＣＰＵ等を設け、入力部にレシート紙に印字すべき商品名・価格等の印字データおよび命令データを含む印字伝文が入力された際に、前記命令データにジャーナル作成命令が含まれているか否かを判断し、ジャーナル作成命令が含まれているときはＩ／Ｏポート１３０に設けたデイップスイッチ１３８の状態によっていずれが接続されたかを判別し、電子ジャーナルが接続されているときは前記印字データ中の印字データのみを記録媒体に書き込み、また、ジャーナルプリンター１３５が接続されている時は印字データをジャーナル紙に印字するものであることから、ジャーナルプリンターを電子ジャーナルに変更する場合は、単にＩ／Ｏポート１３０に接続されているジャーナルプリンター１３５を電子ジャーナルと交換つまり接続し直すというだけで、ＰＯＳ端末機１の制御プログラムを変更することなく簡単に変更できるものである。
【００４７】
また、電子ジャーナルに記録媒体１３１を書込手段１３２に対して着脱可能としたことから、記録媒体１３２がジャーナルデータで一杯となった時等は新たな記録媒体と簡単に交換できるものである。
【００４８】
なお、上記実施の形態においては、レシートプリンターが設けられているジャーナル記録装置１００内に電子ジャーナルとジャーナルプリンターのいずれか一方を接続できる構成としたが、こらはレシートプリンターと電子ジャーナルとをユニットとしてジャーナル記録装置を構成しておき、レシートプリンターとジャーナルプリンターとがユニットとされているジャーナル記録装置におけるジャーナルプリンターを電子ジャーナルに変更したい場合は、このレシートプリンターとジャーナルプリンターとがユニットとされているジャーナル記録装置を、レシートプリンターと電子ジャーナルとをユニットとしてジャーナル記録装置と交換するようにしてもよいものである。
【００４９】
そして、レシートプリンターと電子ジャーナルとをユニットとしてジャーナル記録装置を構成した場合のジャーナル記録装置のブロック構成は、図５においてＩ／Ｏポート１３０に接続されているジャーナルプリンター１３５およびジャーナルプリンター駆動回路１３６を取り除いた構成とすればよいものである。また、この場合はＲＯＭ１１２に設けたジャーナルプリンター制御プログラム、ＲＡＭ１１３に設けた状態フラグおよびデイップスイッチ１３８は不要となるものである。
【００５０】
そして、この場合のジャーナル記録装置１００の動作は図７に示すフローチャートのようになる。
【００５１】
すなわち、ＰＯＳ端末機１から前記商品名・価格等の印字データおよび印字条件命令・レシートのみ発行命令・レシート発行およびジャーナル作成命令等の命令データを含む印字伝文がプリンターに送られると、命令データを処理する制御プログラムが実行され、ステップ１１で「ジャーナルを作成するか否か」が判断され、ジャーナルを作成を作成しないときは、Ｓ１２に進みレシートプリンター１２０によってレシート紙に印字データを印字条件命令にしたがって印字しレシートを発行して終了する。
【００５２】
また、Ｓ１１で判断された結果がジャーナルを作成する場合はＳ１３に進む。
【００５３】
このＳ１３では印字データから印字条件命令つまり文字の大きさ等を削除し印字データのみを選択する。
【００５４】
ついで、Ｓ１４に進み書込手段によってを前記印字データのみを記録媒体に書き込み終了する
また、上記のようにレシートプリンターと電子ジャーナルとをユニットとしてジャーナル記録装置を構成するのではなく、レシートプリンターとは別体に、書込手段、記録媒体、ＣＰＵおよび制御プログラムを格納したＲＯＭ等を筐体に収納して電子ジャーナルを単体として構成し、ジャーナルプリンターを電子ジャーナルの変更する場合は、この単体として構成した電子ジャーナルの入力部にＰＯＳ端末機１からレシートプリンターに出力される印字伝文を入力させるように接続するようにしてもよいものである。このように構成した場合の動作は前記図７に示したフローチャートにしたがって動作するものである。
【００５５】
なお、上記実施の形態においては、記録媒体１３１を着脱可能に設ける構成としたが、これは記録容量が大きいものであるときは必ずしも着脱可能といなくともよいものである。
【００５６】
また、上記実施の形態においては、レシートプリンターを商品販売データ処理装置と別に設ける構成としたが、これは一体的に設ける構成としてもよいものである。
【００５７】
【発明の効果】
上記のように請求項１記載の発明は、入力部に商品名・価格等の登録データの印字データおよび字体、印字位置等の印字条件命令およびジャーナル作成命令等の命令データを含む印字伝文が入力された際に、ジャーナル作成命令に基づいて前記印字伝文中の印字データのみを選択し、記録媒体に印字データを書き込む書込む電子ジャーナルを有するジャーナル記録装置としたものであることから、前記入力部を商品販売データ処理装置に設けられ印字伝文を出力する出力部に接続するのみで、商品販売データ処理装置に設けた制御プログラムの変更を要することなくジャーナルプリンターを電子ジャーナルに変更できるという効果を有するものである。
【００５８】
また、請求項２記載の発明は、入力部にレシート紙に印字すべき商品名・価格等の印字データおよび字体、印字位置等の命令データを含む印字伝文が入力された際に、前記命令データにジャーナル作成命令が含まれているか否かを判断手段によって判断し、ジャーナル作成命令が含まれているときは選択手段によって前記印字データ中の印字データのみを書込手段によて記録媒体に書き込む電子ジャーナルを有するジャーナル記録装置としたことから、前記入力部を部商品販売データ処理装置に設けられ印字伝文を出力する出力部に接続するのみで、商品販売データ処理装置に設けた制御プログラムの変更を要することなくジャーナルプリンターを電子ジャーナルに変更できるという効果を有するものである。
【００５９】
また、請求項３記載の発明は、入力部にレシート紙に印字すべき商品名・価格等の印字データおよび字体、印字位置等の命令データを含む印字伝文が入力された際に、前記命令データ中にジャーナル作成命令が含まれているか否かを判断手段によって判断し、命令データ中にジャーナル作成命令が含まれているとともに、判別手段によってジャーナル接続部に前記ジャーナルプリンターが接続されていると判別されたときは前記印字データをジャーナル紙に印字し、命令データ中にジャーナル作成が含まれているとともに、判別手段によってジャーナル接続部に前記電子ジャーナルが接続されていると判別されたときは、選択手段によって選択された印字データを書込手段によって録媒体に書き込む電子ジャーナルを有するジャーナル記録装置としたことから、前記入力部を部商品販売データ処理装置に設けられ印字伝文を出力する出力部に接続するのみで、商品販売データ処理装置に設けた制御プログラムの変更を要することなく電子ジャーナルに変更できるとともに、ジャーナルプリンターまたは電子ジャーナルのいずれも使用できるという効果を有するものである。
【００６０】
また、請求項４記載の発明は、請求項１または請求項３記載の発明における電子ジャーナルの記録媒体を着脱可能としたことから、請求項１または請求項２記載のそれぞれの発明の効果に加えて、記録媒体が一杯となったとき等に交換が容易にできるという効果を有するものである。
【００６１】
また、請求項５記載の発明は、商品販売データ処理装置の締めキーのキー信号に基づき商品名・価格等の印字データおよび大きさ等の印字データおよび命令データを含む印字伝文を出力する出力部を備えた商品販売データ処理装置に、請求項１ないし請求項４記載のジャーナル記録装置を接続するように構成したことから、商品販売データ処理装置に電子ジャーナルまたはジャーナルプリンターを所望に応じて接続できるという効果を有するものである。
【図面の簡単な説明】
【図１】本発明の実施の形態のジャーナル記録装置を商品販売データ処理装置の全体斜視図。
【図２】上記商品販売データ処理装置のキーボードの構成図
【図３】上記商品販売データ処理装置のブロック構成図。
【図４】上記ジャーナル記録装置の斜視図。
【図５】上記ジャーナル記録装置のブロック構成図。
【図６】上記ジャーナル記録装置の動作を示すフローチャート。
【図７】上記ジャーナル記録装置を他の実施の形態とした場合の動作を示すフローチャート。
【符号の説明】
１              ＰＯＳ端末機（商品販売データ処理装置）
１８            Ｉ／Ｏポート（入力部）
１００          ジャーナル記録装置
１２２          レシートプリンター駆動回路
１２２          レシートプリンター
１３０          Ｉ／Ｏポート（ジャーナル接続部）
１３１          記録媒体（電子ジャーナルの一部）
１３２          書込手段（電子ジャーナルの一部）
１３３          書込手段駆動回路（電子ジャーナルの制御手段）
１３４          電子ジャーナル
１３５          ジャーナルプリンター
１３６          ジャーナルプリンター駆動回路（制御手段）
Ｓ１            判断手段
Ｓ３            判別手段
Ｓ５            選択手段
【図１】
0004087487.tif 000002
【図２】
0004087487.tif 000003
【図３】
0004087487.tif 000004
【図４】
0004087487.tif 000005
【図５】
0004087487.tif 000006
【図６】
0004087487.tif 000007
【図７】
0004087487.tif 000008